(57)【要約】  【課題】  線状光源の保持機能と線状光源の光反射機能とを併せて有する枠体を設けることにより、従来例に比べて部品点数を低減でき、構成の小型化及び軽量化、製造工程の簡略化、並びに製造コストの削減を図れる面光源体を提供する。  【解決手段】  導光板１の下側及び線状ランプ６の外側に設けた背面フレーム１９は、線状ランプ６の保持機能と光反射機能とを併せて有している。線状ランプ６からの出射光及びその出射光の背面フレーム１９による反射光が導光板１へ、その両側面（入光端面）から導入され、導光板１の下面（反射面）及び背面フレーム１９にて反射され、導光板１の上面（出光面）から出射される。特別な反射部材を設ける必要がなく、部品点数は低減する。ポリカーボネート樹脂にステンレス繊維を混入させた材料で背面フレーム１９は作成されており、線状ランプ６への高電圧印加に伴って発生する電磁波（ノイズ）を外部へ放散させることができる。【選択図】      図１
2006114447.tif 000002
【特許請求の範囲】
【請求項１】
線状光源からの光を導光板に入射させて面発光を行う面光源体において、前記線状光源を保持し、前記線状光源からの光を反射させて前記導光板に入射させる枠体を備えることを特徴とする面光源体。
【請求項２】
前記枠体は、線状光源で発生する電磁波を外部へ放散させることを特徴とする請求項１記載の面光源体。
【請求項３】
前記枠体は、合成樹脂に導電フィラを混入させた材料で作成していることを特徴とする請求項２記載の面光源体。
【請求項４】
前記枠体は、合成樹脂製の基体表面に導電膜を形成して構成されていることを特徴とする請求項２記載の面光源体。
【請求項５】
前記枠体は、金属製の基体表面に光反射層を形成して構成されていることを特徴とする請求項２記載の面光源体。
【発明の詳細な説明】
【技術分野】
【０００１】
本発明は、液晶ディスプレイのような表示装置に用いられるサイドライト方式のバックライトなどの面光源体に関する。
【背景技術】
【０００２】
液晶テレビジョン、パーソナルコンピュータなどの液晶表示装置用のバックライトには、サイドライト方式が多く用いられている。サイドライト方式では、バックライトが備える導光板の入光端面に入射された光を出光面から面発光させ、出光面に対向配置された液晶表示装置を照射する。光源としては線状光源（線状ランプ）が一般的に用いられており、線状光源（線状ランプ）は導光板の入光端面に対向させて配置されている（例えば、特許文献１参照）。
【０００３】
図５は、バックライトとして使用される従来の面光源体２０の構成を示す分解斜視図、図６は同じくその要部を示す断面図である。図中１は、例えばアクリル樹脂製の平板形状の導光板であり、その上面（出光面）側には、第１拡散シート２，プリズムシート３及び第２拡散シート４がこの順に重ねられ、その下面（反射面）側には、反射シート５が設けられている。また、導光板１の両側面（入光端面）に夫々対向せしめて線状光源としての線状ランプ６，６が配されている。
【０００４】
線状ランプ６，６を覆うように、線状ランプ６，６と同様に長尺であって断面がコ字状をなす金属製の反射部材７，７が設けられている。この反射部材７，７により、線状ランプ６，６から外側へ出射された光が内側（導光板１側）へ反射される。また、反射部材７，７は、線状ランプ６，６に高電圧が印加された際に発生する電磁波（ノイズ）を外部へ放散させる機能も果たしている。
【０００５】
このような導光板１並びに各種のシート２，３，４及び５は、上側の表面フレーム８及び下側の背面フレーム９により挟持され、線状ランプ６，６及び反射部材７，７は、両フレーム８，９間の空隙内に収容されている（図６参照）。
【０００６】
このような構成の従来の面光源体２０では、線状ランプ６，６からの出射光及びその出射光の反射部材７，７による反射光が導光板１へ、その両側面（入光端面）から導入され、導光板１の下面（反射面）及び反射シート５にて反射され、導光板１の上面（出光面）から出射される。出射された光は、第１拡散シート２，プリズムシート３及び第２拡散シート４を透過する間に拡散，集光が行われ、バックライトとして使用される場合、面光源体２０の上側に配された液晶パネル（図示せず）を照射するようになっている。
【特許文献１】特開２００２−２２９０９号公報
【発明の開示】
【発明が解決しようとする課題】
【０００７】
液晶表示装置全体のコンパクト性を向上するために、それに取り付けられるバックライトにあっては小型化及び軽量化の要求がなされているが、図５，図６に示す構成では、その要求に十分に応えられていないという問題がある。
【０００８】
本発明は斯かる事情に鑑みてなされたものであり、線状光源の保持機能と線状光源の反射機能とを併せて有する枠体を設けることにより、従来例に比べて部品点数を低減できて、構成の小型化及び軽量化を図れると共に、製造工程の簡略化及び製造コストの削減を図れる面光源体を提供することを目的とする。
【０００９】
本発明の他の目的は、線状光源への高電圧印加に伴うノイズの影響を防止できる面光源体を提供することにある。
【課題を解決するための手段】
【００１０】
本発明に係る面光源体は、線状光源からの光を導光板に入射させて面発光を行う面光源体において、前記線状光源を保持し、前記線状光源からの光を反射させて前記導光板に入射させる枠体を備えることを特徴とする。
【００１１】
本発明の面光源体にあっては、枠体が、線状光源を保持する機能と、線状光源から出射された光を導光板に入射させるための光反射機能とを併せて持っている。よって、従来例における反射シート、反射部材が不要となって、部品点数は低減し、小型化及び軽量化が実現される。
【００１２】
本発明に係る面光源体は、上記構成において、前記枠体が、線状光源で発生する電磁波を外部へ放散させることを特徴とする。
【００１３】
本発明の面光源体にあっては、枠体が、線状光源に高電圧が印加された際に発生するノイズである電磁波を外部へ放散させる機能を持っている。よって、金属製の反射部材をなくしても、ノイズの影響を受けることがない。
【００１４】
本発明に係る面光源体は、上記構成において、前記枠体を、合成樹脂に導電フィラを混入させた材料で作成していることを特徴とする。
【００１５】
本発明の面光源体にあっては、合成樹脂に導電フィラを混入させた材料で枠体を作成している。よって、良好な光反射特性が得られるとともに、電磁波（ノイズ）の外部放散を行える。
【００１６】
本発明に係る面光源体は、上記構成において、前記枠体が、合成樹脂製の基体表面に導電膜を形成して構成されていることを特徴とする。
【００１７】
本発明の面光源体にあっては、合成樹脂製の基体表面に導電膜を形成して枠体を構成している。よって、良好な光反射特性が得られるとともに、電磁波（ノイズ）の外部放散を行える。
【００１８】
本発明に係る面光源体は、上記構成において、前記枠体が、金属製の基体表面に光反射層を形成して構成されていることを特徴とする。
【００１９】
本発明の面光源体は、金属製の基体表面に光反射層を形成して枠体を構成している。よって、良好な光反射特性が得られるとともに、電磁波（ノイズ）の外部放散を行える。
【発明の効果】
【００２０】
本発明の面光源体では、線状光源を保持する機能と、線状光源からの光を反射させて導光板に入射させる機能とを有する枠体を備えるようにしたので、従来例に比べて部品点数を低減して、構成面での小型化及び軽量化を図ることができ、また、製造面では工程の簡略化及びコストの削減を図ることができる。
【００２１】
本発明の面光源体では、線状光源に高電圧が印加された際に発生する電磁波を外部へ放散させる機能を有する枠体を備えるようにしたので、ノイズの影響を防止することができる。
【００２２】
本発明の面光源体では、枠体を、合成樹脂に導電フィラを混入させた材料で作成するか、合成樹脂製の基体表面に導電膜を形成して構成するか、または、金属製の基体表面に光反射層を形成して構成するようにしたので、良好な光反射特性を実現できるとともに、電磁波を容易に外部へ放散できてノイズの影響を防止することができる。
【発明を実施するための最良の形態】
【００２３】
以下、本発明をその実施の形態を示す図面を参照して具体的に説明する。
（第１実施の形態）
図１は、バックライトとして使用される本発明に係る面光源体１０の構成を示す分解斜視図である。図２は、第１実施の形態による面光源体１０の要部断面図である。
【００２４】
図中１は、例えばアクリル樹脂製の導光板であり、上面（出光面）と下面（反射面）とが平行な平板形状をなしている。導光板１の上面（出光面）側には、第１拡散シート２，プリズムシート３及び第２拡散シート４がこの順に重ねられている。このような導光板１並びに各種のシート２，３及び４は、上側の表面フレーム８及び下側の背面フレーム１９により挟持されている。
【００２５】
また、導光板１の両側面（入光端面）に夫々対向せしめて線状光源としての線状ランプ６，６が配されている。線状ランプ６，６は、両フレーム８，１９間の空隙内に収容されている（図２参照）。
【００２６】
背面フレーム１９は、線状ランプ６，６を保持するためのランプ保持機能と、線状ランプ６，６からの出射光を導光板１側へ反射させるための光反射機能とを有している。このような機能を果たすべく、白色にするための顔料であるチタンを含んだ樹脂ポリカーボネートを母材（ベース）として、それにステンレス繊維を混入させた（混入率は体積比で２％程度）材料によって、背面フレーム１９を作成している。この材料の面抵抗値は、１００Ω／ｃｍ2 である。
【００２７】
このような構成の面光源体１０では、線状ランプ６，６からの出射光及びその出射光の背面フレーム１９による反射光が導光板１へ、その両側面（入光端面）から導入され、導光板１の下面（反射面）及び背面フレーム１９にて反射され、導光板１の上面（出光面）から出射される。出射された光は、第１拡散シート２，プリズムシート３及び第２拡散シート４を透過する間に拡散，集光が行われ、バックライトとして使用される場合、面光源体１０の上側に配された液晶パネル（図示せず）を照射するようになっている。
【００２８】
第１実施の形態では、背面フレーム１９の合成樹脂材料自体に光反射性を持たせることにより、線状ランプ６，６の保持機能に加えて、光反射機能を背面フレーム１９に持たせている。よって、図５に示す従来例と比較して、反射シート５及び反射部材７，７が設けられておらず、部品点数を低減できて、小型化及び軽量化を図れると共に、製造工程を簡略化できる。この結果、製造コストの削減を図れる。また、反射部材７，７用の金型の費用も必要でなくなり、この点でも製造コストは削減される。
【００２９】
また、第１実施の形態の背面フレーム１９では、合成樹脂（ポリカーボネート）に導電フィラ（ステンレス繊維）を混入させて面抵抗値を１００Ω／ｃｍ2 とした材料を用いており、線状ランプ６，６への高電圧印加に伴って発生する電磁波（ノイズ）を外部へ放散させることができる。なお、背面フレーム１９の面抵抗値が５００Ω／ｃｍ2 以下である場合には、このような電磁波（ノイズ）の放散機能を果たせる。
【００３０】
（第２実施の形態）
図３は、本発明の第２実施の形態による面光源体１０の要部断面図である。第２実施の形態では、白色顔料であるチタンを含んだ樹脂ポリカーボネートからなる基体１９ａの外側表面に導電膜１９ｂをコーティングさせた構成を背面フレーム１９がなしている。この導電膜１９ｂの例としては、導電性粒子として銀メッキ銅を含有させた導電膜（面抵抗値：０．０５Ω／ｃｍ2 ，膜厚：２５μｍ）または導電性粒子としてニッケルを含有させた導電膜（面抵抗値：３Ω／ｃｍ2 ，膜厚：２５μｍ）などを使用できる。
【００３１】
第２実施の形態の背面フレーム１９は、このような構成をなしており、第１実施の形態と同様に、線状ランプ６，６を保持するためのランプ保持機能と、線状ランプ６，６からの出射光を導光板１側へ反射させるための光反射機能とを有している。
【００３２】
なお、他の構成は、第１実施の形態と同様であるので（図１参照）、その説明は省略する。また、線状ランプ６，６からの出射光の背面フレーム１９による反射光が導光板１へ導入される点も含めて、光の経路は第１実施の形態と同様である。
【００３３】
第２実施の形態では、第１実施の形態と同様に、線状ランプ６，６の保持機能に加えて、光反射機能を背面フレーム１９に持たせているため、同様の効果（構成の小型化及び軽量化、製造工程の簡略化、並びに製造コストの削減）を奏することができる。
【００３４】
また、第２実施の形態の背面フレーム１９では、導電膜１９ｂをコーティングしているため、線状ランプ６，６への高電圧印加に伴って発生する電磁波（ノイズ）を外部へ放散させることができる。
【００３５】
（第３実施の形態）
図４は、本発明の第３実施の形態による面光源体１０の要部断面図である。第３実施の形態では、金属板１９ｃの内側表面に反射層１９ｄをコーティングさせた構成を背面フレーム１９がなしている。この金属板１９ｃとしては、アルミニウム板、ＳＵＳ板、亜鉛メッキ鋼板、クロムメッキ鋼板、黄銅板などを利用でき、反射層１９ｄとしては、白ＰＥＴ層、反射塗装層などを使用できる。
【００３６】
第３実施の形態の背面フレーム１９は、このような構成をなしており、第１実施の形態と同様に、線状ランプ６，６を保持するためのランプ保持機能と、線状ランプ６，６からの出射光を導光板１側へ反射させるための光反射機能とを有している。
【００３７】
なお、他の構成は、第１実施の形態と同様であるので（図１参照）、その説明は省略する。また、線状ランプ６，６からの出射光の背面フレーム１９による反射光が導光板１へ導入される点も含めて、光の経路は第１実施の形態と同様である。
【００３８】
第３実施の形態では、第１実施の形態と同様に、線状ランプ６，６の保持機能に加えて、光反射機能を背面フレーム１９（反射層１９ｄ）に持たせているため、同様の効果（構成の小型化及び軽量化、製造工程の簡略化、並びに製造コストの削減）を奏することができる。
【００３９】
また、第３実施の形態の背面フレーム１９では、金属板１９ｃを使用しているため、線状ランプ６，６への高電圧印加に伴って発生する電磁波（ノイズ）を外部へ放散させることができる。
【図面の簡単な説明】
【００４０】
【図１】本発明に係る面光源体の構成を示す分解斜視図である。
【図２】第１実施の形態による面光源体の要部断面図である。
【図３】第２実施の形態による面光源体の要部断面図である。
【図４】第３実施の形態による面光源体の要部断面図である。
【図５】従来の面光源体の構成を示す分解斜視図である。
【図６】従来の面光源体の要部断面図である。
【符号の説明】
【００４１】
１  導光板
８  線状ランプ
１０  面光源体
１９  背面フレーム
１９ａ  基体
１９ｂ  導電膜
１９ｃ  金属板
１９ｄ  反射層
【図１】
2006114447.tif 000003
【図２】
2006114447.tif 000004
【図３】
2006114447.tif 000005
【図４】
2006114447.tif 000006
【図５】
2006114447.tif 000007
【図６】
2006114447.tif 000008